【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
使用者がつかむための把持部と、
この把持部の一端に形成されており、使用者が口にくわえるのに適するように薄い縁部を備えた、くわえるための部分と
を有しており、
前記くわえるための部分は、
前記把持部の仮想の中心線と交差する方向に延びており、前記把持部とくわえるための部分との交差位置と、このくわえるための部分の先端部とを結ぶ線分の前記仮想の中心線に対してなす角度θがほぼ９０度から１５０度の範囲となるように形成されている
ことを特徴とする、口唇トレーナー。
【請求項２】
使用者がつかむためのリング状の把持部と、
この把持部の一端に形成されており、使用者が口にくわえるのに適するように薄い縁部を備えた、くわえるための部分と
を有しており、
前記くわえるための部分は、
前記把持部の中央を通る仮想の中心線と交差する方向に延びており、前記把持部とくわえるための部分との交差位置と、このくわえるための部分の先端部とを結ぶ線分の前記仮想の中心線に対してなす角度θがほぼ９０度から１５０度の範囲となるように形成されている
ことを特徴とする、口唇トレーナー。
【請求項３】
前記くわえるための部分は、使用者の口唇によりくわえられたときに容易に変形する程度に柔軟な材料で形成されていることを特徴とする、請求項１または２のいずれかに記載の口唇トレーナー。
【請求項４】
前記くわえるための部分は、その周縁部が上方にむかうように反ったドーム状に形成されていることを特徴とする、請求項１ないし３のいずれかに記載の口唇トレーナー。
【請求項５】
前記把持部は、前記仮想の中心軸に沿った棒状に形成されていることを特徴とする、請求項１、３、４のいずれかに記載の口唇トレーナー。
【請求項６】
前記くわえるための部分は、個別にくわえるための複数の延出部を備えていることを特徴とする、請求項１ないし５のいずれかに記載の口唇トレーナー。
【請求項７】
前記複数の延出部には、それぞれ大きさの異なる突起部が形成されていることを特徴とする、請求項６に記載の口唇トレーナー。
【請求項８】
前記把持部の他端には、前記くわえるための部分とは異なる形状にされた別のくわえるための部分が設けられていることを特徴とする、請求項１ないし７のいずれかに記載の口唇トレーナー。
【請求項９】
前記くわえるための部分の硬度が、３０度ないし７０度の範囲とされていることを特徴とする請求項３に記載の口唇トレーナー。
【請求項１０】
前記複数の延出部が、放射状に４つの方向に向かって延出されていることを特徴とする請求項６に記載の口唇トレーナー。
【請求項１１】
前記くわえるための部分に、複数または多数の凸条が形成されていることを特徴とする請求項１ないし１０のいずれかに記載の口唇トレーナー。
【手続補正２】
【補正対象書類名】明細書
【補正対象項目名】００１３
【補正方法】変更
【補正の内容】
【００１３】
請求項１の構成によれば、乳幼児が把持部を手に持った状態では、その一端からくわえるための部分が、把持部と交差する方向に突出することになる。この場合、くわえるための部分は、前記把持部の仮想の中心線と交差する方向に延びており、前記把持部とくわえるための部分との交差位置と、このくわえるための部分の先端部とを結ぶ線分が前記仮想の中心線に対してなす角度がほぼ９０度から１５０度の範囲となるように形成されている。このため乳幼児が脇を開かないで肘から先を上に持ち上げるようにして、上記の様に把持部を持った状態においても、把持部の端部からほぼ直交する方向にくわえるための部分が延びることになり、これを口腔内に差し入れることがきわめて容易となる。
さらに、口腔内に差し入れられた、くわえるための部分の先端は薄く形成されていて、乳幼児はこれを口唇の間にはさむと、口角が閉じられる。このような動作を繰り返しおこなうことにより、口唇を閉じる運動を適切に訓練することができる。
また、上記目的は、請求項２の発明によれば、使用者がつかむためのリング状の把持部と、この把持部の一端に形成されており、使用者が口にくわえるのに適するように薄い縁部を備えた、くわえるための部分とを有しており、前記くわえるための部分は、前記把持部の中央を通る仮想の中心線と交差する方向に延びており、前記把持部とくわえるための部分との交差位置と、このくわえるための部分の先端部とを結ぶ線分の前記仮想の中心線に対してなす角度θがほぼ９０度から１５０度の範囲となるように形成されている、口唇トレーナーにより、達成される。
【手続補正３】
【補正対象書類名】明細書
【補正対象項目名】００１４
【補正方法】変更
【補正の内容】
【００１４】
請求項３の発明は、請求項１または２のいずれかの構成において、前記くわえるための部分が、使用者の口唇によりくわえられたときに容易に変形する程度に柔軟な材料で形成されていることを特徴とする。


【手続補正４】
【補正対象書類名】明細書
【補正対象項目名】００１５
【補正方法】変更
【補正の内容】
【００１５】
請求項３の構成によれば、請求項１または２のいずれかの作用に加えて、乳幼児はくわえるための部分の先端を口唇の間にはさむと、この先端部は口唇の間で、この口唇の形状にあわせて容易に変形するので、より適切に口唇を閉じることができる。さらに、乳幼児が肘をまげて、くわえるための部分を口唇に近づけた場合に、その位置が多少口唇からすれても、くわえるための部分が変形することで、口唇により捕捉しやすい。


【手続補正５】
【補正対象書類名】明細書
【補正対象項目名】００１６
【補正方法】変更
【補正の内容】
【００１６】
請求項４の発明は、請求項１ないし３のいずれかの構成において、前記くわえるための部分が、その周縁部が上方にむかうように反ったドーム状に形成されていることを特徴とする。


【手続補正６】
【補正対象書類名】明細書
【補正対象項目名】００１７
【補正方法】変更
【補正の内容】
【００１７】
請求項４の構成によれば、請求項１ないし３のいずれかの作用に加えて、乳幼児が把持部をもった時に、その位置が多少低い場合にも、大きく頭部を前屈させないで、くわえるための部分の先端を口腔内に差し入れることができる。


【手続補正７】
【補正対象書類名】明細書
【補正対象項目名】００１８
【補正方法】変更
【補正の内容】
【００１８】
請求項５の発明は、請求項１、３、４のいずれかの構成において、前記把持部が、前記仮想の中心軸に沿った棒状に形成されていることを特徴とする。


【手続補正８】
【補正対象書類名】明細書
【補正対象項目名】００１９
【補正方法】変更
【補正の内容】
【００１９】
請求項５の構成によれば、請求項１、３、４のいずれかの作用に加えて、手指の動きが十分ではない乳幼児にとって、きわめて扱いやすいものとなる。


【手続補正９】
【補正対象書類名】明細書
【補正対象項目名】００２０
【補正方法】変更
【補正の内容】
【００２０】
請求項６の発明は、請求項１ないし５のいずれかの構成において、前記くわえるための部分は、個別にくわえるための複数の延出部を備えていることを特徴とする。


【手続補正１０】
【補正対象書類名】明細書
【補正対象項目名】００２１
【補正方法】変更
【補正の内容】
【００２１】
請求項７の発明は、請求項６の構成において、前記複数の延出部には、それぞれ大きさの異なる突起部が形成されていることを特徴とする。
請求項８発明は、請求項１ないし７の構成において、前記把持部の他端には、前記くわえるための部分とは異なる形状にされた別のくわえるための部分が設けられていることを特徴とする。
請求項９の発明は、請求項３の構成において、前記くわえるための部分の硬度が、３０度ないし７０度の範囲とされていることを特徴とする。
請求項１０の発明は、請求項６の構成において、前記複数の延出部が、放射状に４つの方向に向かって延出されていることを特徴とする。
請求項１１の発明は、請求項１ないし１０のいずれかの構成において、前記くわえるための部分に、複数または多数の凸条が形成されていることを特徴とする。
【手続補正１１】
【補正対象書類名】明細書
【補正対象項目名】００４１
【補正方法】変更
【補正の内容】
【００４１】
すなわち、第１のくわえるための部分２２は、全体として断面でみて下に凸となったドーム状であり、その外周部は、第１の実施形態の場合の延出部と同じで、全周にわたって、厚みを薄く形成している。
第１のくわえるための部分２２の上面は、凹状の内面となっており、この部分の平面図である図８に示すように、複数もしくは多数の凸条２２ａが形成されている。
この場合、凸条２２ａは、同心円状に多数形成されており、第１のくわえるための部分２２の周縁部を口腔内にいれた時に、第１の実施形態とはことなる感触を得ることできるようになっている。